(57)【要約】      （修正有）【課題】狭い隙間に設置しつつ、コスト増や大型化を防止しながら、盗難の危険性も減少させる金券識別装置を提供する。【解決手段】筐体１０１の前方に設けられ、金券の挿入を受け付ける挿入口１０３から挿入された金券を搬送する搬送部と、筐体１０１内部の所定位置に搬送された金券を収納する収納器具１を、格納する方向および筐体の外部に排出する方向一方に移動させる排出駆動手段１０８と、収納器具１を、筐体１０１へ挿入もしくは排出させる出口１１０と、排出駆動手段１０８の駆動力を、収納器具１に伝達する伝達手段３００と嵌合して駆動力を受ける嵌合歯とを備え、伝達手段３００は、排出駆動手段１０８と嵌合歯との間に介在して、相互に嵌合して回動可能な、第１伝達部３０１と第２伝達部３０２を有し、第１伝達部３０１が回動する場合には、第２伝達部３０２は回動し、第２伝達部３０２が回動する場合には、第１伝達部３０１は回動不可である。【選択図】図１
2014085848.tif 000002
【特許請求の範囲】
【請求項１】
筐体の前方に設けられ、金券の挿入を受け付ける挿入口と、
前記挿入口から挿入された前記金券を搬送する搬送部と、
前記筐体内部の所定位置に格納可能であって、前記搬送部によって搬送された前記金券を収納する収納器具と、
前記収納器具を、前記筐体の所定位置に格納する方向および前記筐体の外部に排出する方向の少なくとも一方に移動させる排出駆動手段と、
前記収納器具を、前記筐体へ挿入もしくは前記筐体から排出させる出口と、
前記排出駆動手段の駆動力を、前記収納器具に伝達する伝達手段と、
前記収納器具の所定の面の少なくとも一部に設けられ、前記伝達手段と嵌合して駆動力を受ける嵌合歯と、を備え、
前記伝達手段は、前記排出駆動手段と前記嵌合歯との間に介在して、相互に嵌合して回動可能な、第１伝達部と第２伝達部を有し、
前記第１伝達部が回動する場合には、前記第２伝達部は回動するのに対して、前記第２伝達部が回動する場合には、前記第１伝達部は回動不可である、金券識別装置。
【請求項２】
前記第１伝達部は、前記排出駆動手段に動力伝達可能に接続し、前記第２伝達部は、前記嵌合歯に動力伝達可能に接続し、前記第１伝達部および前記第２伝達部は、直接的もしくは間接的に動力伝達可能に接続する、請求項１記載の金券識別装置。
【請求項３】
前記排出駆動手段が回転による駆動力を前記第１伝達部に伝達する場合には、前記第１伝達部は回動して、当該回動による動力を、前記第２伝達部に伝達し、
前記収納器具に前記筐体への挿入および排出の少なくとも一方の動力が加わる場合には、前記第１回動部は、回動しない、請求項１または２記載の金券識別装置。
【請求項４】
前記第１伝達部が回動しない場合には、前記第２伝達部も回動しない、請求項３記載の金券識別装置。
【請求項５】
前記第１伝達部は、ウォームを用いる、請求項１から４のいずれか記載の金券識別装置。
【請求項６】
前記排出駆動手段と前記第１伝達部との間には、第３伝達部および第４伝達部を更に備える、請求項１から５のいずれか記載の金券識別装置。
【請求項７】
前記第３伝達部は、前記排出駆動手段の回転を、前記第４伝達部に伝達し、前記第４伝達部は、伝達された回転を、前記第１伝達部に伝達する、請求項６記載の金券識別装置。
【請求項８】
前記第３伝達部は、前記排出駆動手段の回転軸と同軸の第１回転軸を有し、前記第４伝達部は、前記排出駆動手段の回転軸と異なる第２回転軸を有し、前記第１回転軸および前記第２回転軸のそれぞれは、相互に独立している、請求項６又は７記載の金券識別装置。
【請求項９】
前記第３伝達部および前記第４伝達部のそれぞれは、歯車を有し、前記歯車同士が嵌合することで、第３伝達部から第４伝達部へ、前記排出駆動手段の回転による動力を伝達する、請求項６から８のいずれか記載の金券識別装置。
【請求項１０】
前記第２回転軸は、位置を移動可能であり、前記第３伝達部および前記第４伝達部の少なくとも一方に加わる圧力によって、前記第２回転軸は、当該位置を移動させる、請求項８または９記載の金券識別装置。
【請求項１１】
前記第２回転軸は、前記第３伝達部および前記第４伝達部の少なくとも一つに所定値以上の圧力が加わる場合には、当該位置を移動させて、前記第４伝達部と前記第３伝達部との動力伝達が遮断される、請求項１０記載の金券識別装置。
【請求項１２】
前記遮断は、前記第３伝達部と第４伝達部との嵌合が外れることによって生じる、請求項１１記載の金券識別装置。
【請求項１３】
前記所定値以上の圧力は、前記排出駆動手段の、所定回転数以上、所定回転以外、所定回転力以上および所定回転時間以上の少なくとも一つの場合に、前記第３伝達部および前記第４伝達部の少なくとも一方に加わる圧力値である、請求項１１又は１２記載の金券識別装置。
【請求項１４】
前記収納器具は、
金券を収納可能な保管部と、
前記保管部の一方の開口部であって、前記金券識別装置の前記出口側の開口部（以下、「第１開口部」という）に設けられる回動可能な蓋と、を備え、
前記蓋は、前記収納器具が前記金券識別装置内部に格納されている場合には、前記金券識別装置の露出面における前記出口を塞ぎ、
前記蓋は、前記収納器具が、前記出口から排出された後で回動可能である、請求項１から１３のいずれか記載の金券識別装置。
【請求項１５】
前記蓋は、前記収納器具が、前記筐体に格納されている場合には、前記金券識別装置の露出面であって、前記出口を形成する面と、略同一平面上に存在する、請求項１４記載の金券識別装置。
【請求項１６】
前記出口の開口面積および前記蓋の面積および形状の少なくとも一方は略同一であるか、もしくは前記出口の開口面積は前記蓋の面積より小さい、請求項１４又は１５記載の金券識別装置。
【請求項１７】
前記蓋は、前記収納器具が、前記筐体内部に格納されている場合には、回動不可である、請求項１４から１６のいずれか記載の金券識別装置。
【請求項１８】
前記蓋は、前記収納器具が前記出口から排出された後では、手動および自動の少なくとも一方で回動可能である、請求項１７記載の金券識別装置。  
【請求項１９】
前記金券は、紙幣、紙葉類、有価紙類、プリペイドカード、ＩＣカードおよびＩＤカードの少なくとも一つを含む、請求項１から１８のいずれか記載の金券識別装置。
【発明の詳細な説明】
【技術分野】
【０００１】
本発明は、自動販売機、自動貸出機など、紙幣やプリペイドカードなどの金券の投入に合わせて商品等を提供する機器に使用される紙幣の識別を行う金券識別装置に関する。
【背景技術】
【０００２】
自動販売機や自動貸出機などが、街中、商店内部、集合建造物内部などの様々な場所に設置されている。外国においても自動販売機や自動貸出機が設置されているが、治安や貨幣価値の安定性といった我が国特有の事情に基づき、我が国においては、非常に多数の自動販売機や自動貸出機が設けられている。
【０００３】
また、パチンコ機やスロットマシン機といった遊戯用機械が設置された遊技場も広く普及している。これらのパチンコ機やスロットマシン機が設置された遊技場では、遊戯者が遊戯に必要となるパチンコ玉やコインの貸し出しを受けるために自動貸出機が設置されている。このような自動貸出機には、遊戯者が硬貨、紙幣、プリペイドカード、ＩＣカード、ＩＤカードなどを投入して、投入された金額（あるいは遊戯者が指定した金額）に対応するパチンコ玉やコインを提供する。このため、自動貸出機には、投入された紙幣やプリペイドカードなど（以下、「金券」という）の真贋、種類（金額）を識別しつつ、必要に応じて一時的に紙幣を保管する金券識別装置が設置される。
【０００４】
もちろん、一般に設置されている飲料や交通切符などの自動販売機でも、同様の金券識別装置が設置される。
【０００５】
このような自動販売機や自動貸出機には、様々なスペックに対応する金券識別装置が設置される。このような金券識別装置として、いくつかの技術が提案されている（例えば、特許文献１、２参照）。
【先行技術文献】
【特許文献】
【０００６】
【特許文献１】特開２００６−２５４９７０号公報
【特許文献２】特開２００６−２６４９７７号公報
【発明の概要】
【発明が解決しようとする課題】
【０００７】
特許文献１は、挿入された紙幣を収容する収容ケースと、収容ケースに収容された紙幣を排出するための押し出しモータとを、紙幣識別および収容の機能として備える遊戯媒体貸出機を開示する。ここで、管理サーバは、リモコン機より遊技媒体貸出機に収容された紙幣の排出指令信号を出力して、この排出指令信号が遊技媒体貸出機及びネットワーク回線を介して受信された際に、複数の遊技媒体貸出機に対して所定の時間差をもって排出指令信号を出力する。このような構成によって、遊戯媒体貸出機の使い勝手を良くすることが提案されている。
【０００８】
しかしながら、特許文献１に開示される技術では、紙幣等を搬送する駆動手段や、収容される紙幣を回収する際の搬送手段に、複雑なモータや駆動機構を有しており、機械そのものが煩雑であるという問題を有していた。また、機械が煩雑であることで、小型化や薄型化が困難となり、パチンコ機やスロットマシン機の間などに設置しにくい問題も生じさせる。
【０００９】
パチンコ機やスロットマシン機を多数備える遊技場では、配置される多くのパチンコ機やスロットマシン機同士の間の隙間に、パチンコ玉やコインなどの自動貸出機を設置する必要がある。紙幣識別器はこの自動貸出機と合わせて構成されるので、紙幣識別機もパチンコ機やスロットマシン機同士の隙間に設置される必要がある。特許文献１に開示される装置では、このような隙間への設置も難しい問題がある。
【００１０】
特許文献２に開示される紙幣処理装置は、紙幣処理口から挿入された紙幣を搬送する紙幣搬送機構７と、紙幣処理口に挿入された紙幣の有効性を識別する紙幣識別センサ３１と、紙幣が挿入方向に沿って搬送状態にあり、かつ紙幣識別センサ３１が紙幣の有効性を検知しているとき、搬送状態にある紙幣の先端を湾曲案内するガイド板３９ａ，３９ｂと、紙幣搬送機構７に対して並設される紙幣収容部と、挿入された紙幣が有効であった場合、当該紙幣を紙幣処理口側に一定の距離搬送するように紙幣搬送機構７をスイッチバック制御する制御手段と、スイッチバックされた紙幣を紙幣収容部に積層収容させ、かつ次に挿入される紙幣との間で仕分けを行なう仕分け機構５０とを有する。
【００１１】
特許文献２に開示される紙幣処理装置は、紙幣の挿入と識別および収容を実現できる。しかしながら、搬送に係る駆動装置や駆動機構が、収容部や搬送部に設けられることで、装置全体が複雑となる。この結果、パチンコ機やスロットマシン機同士の隙間に設置することが困難となる問題がある。これは、特許文献１と同様である。
【００１２】
また、駆動装置や駆動機構が複雑であることで、紙幣処理装置の大きさに対する紙幣の収容枚数が少なくなったり、収容された紙幣の取り出しが面倒になったりする問題を有している。
【００１３】
加えて、特許文献１、特許文献２に開示される金券識別装置は、挿入された金券（紙幣やプリペイドカードなど）を、一次的な保管のための収納器具を格納している。この収納器具は、挿入されて識別をクリアした金券を、収納する。特許文献１、特許文献２に開示される金券識別装置では、この収納器具に収納されている金券を、搬送させて取り出すことを可能としたり、収納器具そのものを外部に排出させることを可能としたりして、収納器具が収納している金券は、取出しが可能となっている。
【００１４】
当然ながら、金券識別装置は、自動販売機や遊技場などに設置されるので、一定量の金券が収納されている状態では、運営者や管理者は、金券識別装置に格納されている金券を（言いかえれば収納器具が収納している金券を）、取り出す必要がある。一定量以上になってしまうと、金券識別装置が金券の挿入を受け付けなくなって、自動販売機や自動貸出機の使用ができなくなるからである。
【００１５】
また、金券識別装置は、上述の通りその内部に金券を収納している。盗難の対象となりえるので、定期的に収納されている金券を、運営者や管理者が回収する必要もある。例えば、金券識別装置が動作している営業時間中は盗難の危険性は少ないが、営業時間外には、盗難の可能性が高まる。このため、金券識別装置を設置している遊戯場などでは、営業時間終了後に運営者や管理者が、金券識別装置の収納器具から金券を搬送させて取り出したり、収納器具を排出させたりすることを行う。このような処理によって、遊戯場や自動販売機などの運営者、管理者は、定期的に売上げを回収して計算できる。
【００１６】
ここで、特許文献１や特許文献２に開示される金券識別装置では、運営者や管理者が操作を行うと、収納器具に収納されている金券が搬送されて出口より排出されたり、収納器具そのものが排出されたりする。このとき、金券や収納器具が排出される出口は、盗難防止のためにシャッターを設けており、運営者や管理者の操作のみによって、このシャッターが開いて、金券や収納器具が外部に排出されるようになる。
【００１７】
ここで、従来技術のように、シャッター式で金券や収納器具の盗難や不正な排出を防止する形式は、製造が容易であったり、実際の操作が容易であったりするメリットがある反面、次のような問題を有している。
【００１８】
（問題１）シャッターは、金券識別装置の出口部分に設けられる。このとき、シャッターそのものは、金券識別装置に接続して開閉可能に設けられ、金券識別装置内部に格納される収納器具とは別個に設けられる。このため、シャッターが無理にこじ開けられると、金券識別装置内部に備わる収納部分の金券が盗難されてしまう問題がある。
【００１９】
（問題２）シャッターは、その開閉において回転動作を必要とするので、金券識別装置は、シャッターを開閉させるためのモータを必要とする。モータは、コストの高い部品である上に、モータだけでなくシャフトや歯車などの周辺部品も必要として、金券識別装置全体のコストを増加させる問題を生じさせる。
【００２０】
（問題３）また、モータは、故障や誤動作を生じさせやすかったり、外部から盗難者によって不正動作させられたりして、シャッターを開けてしまうことがありえる。このとき、問題１に記載のようにシャッターが開けられてしまうと、金券識別装置内部に備わる収納部分の金券が盗難されてしまう問題がある。
【００２１】
（問題４）また、従来技術のシャッターを用いる金券識別装置は、モータによる開口がされない場合に、シャッターをロックするための機構を必要とし、このロック機構を実現する部材、例えばソレノイドを必要とする。この結果、問題１のソレノイドと合わせて、コストが増加する問題がある。もちろん、問題３のような故障によって、シャッターの開閉が強制的に行われて盗難される問題がある。
【００２２】
（問題５）また、特許文献１、２などに代表される従来技術では、金券を収納する部材は、金券識別装置内部のある部分の内部空間そのものを活用している。すなわち、金券識別装置と金券収納部は、一体化されている。このように一体化されていると、運営者や管理者は、シャッターを開けて内部の金券を回収する必要があるために、問題１〜４を生じさせることになりかねない。このため、金券識別装置に挿入と排出が可能な独立した収納器具が設けられて、この収納器具に金券が収納される。独立した部材であるので、収納器具は、運営者や管理者によって排出されて金券が回収される。
【００２３】
しかしながら、盗難者による不正あるいは強引な取り出しや、収納器具を排出させる駆動手段の暴走などの誤動作（あるいは不正動作）によって、収納器具が不正に排出されて、金券が盗難される問題もある。
【００２４】
以上のように、従来技術の金券識別装置は、問題１〜問題５を有している。これらの問題は、コスト増や大型化といった、金券識別装置の製品価値を低下させると共に、内部に収納されている金券の盗難の危険性を生じさせる。特に、遊戯場では、パチンコ機やスロットマシン機の台の間に、金券識別装置が設置されることが多い。すなわち、１箇所の遊戯場には、多くの金券識別装置が設置されることになる。これは、盗難の危険性をより高めることにも、盗難時の被害額を大きくすることにも繋がる。
【００２５】
一方で、このようなパチンコ機やスロットマシン機の台の間に金券識別装置が設置される場合には、上記のように多数の金券識別装置が設置される必要がある。この場合には、運営者や管理者にとって金券識別装置からの金券の回収の容易性と効率性を高めるために、（問題５）に記載のように、金券識別装置内部に格納あるいは内部から排出可能に独立した部材である、収納器具を、金券識別装置の前面から排出させることができることが便利である。運営者や管理者が、営業時間終了後などに、パチンコ機やスロットマシン機の前で、金券識別装置内部の収納器具を排出させて、金券を回収できるからである。
【００２６】
しかし、この場合には、遊戯場で遊戯する遊戯者にとっても、金券識別装置から内部の収納器具の排出面を、目前に見ることができることになる。すなわち、盗難がされやすくなる可能性がある。
【００２７】
以上のように、従来技術の金券識別装置は、小型化や薄型化の要求に十分に応えられない問題に加えて、盗難される可能性の問題を有していた。
【００２８】
本発明は、上記課題に鑑み、これらの問題を解消でき、狭い隙間に設置しつつ、コスト増や大型化を防止しながら、盗難の危険性も減少させる金券識別装置を提供することを目的とする。
【課題を解決するための手段】
【００２９】
上記課題に鑑み、本発明の金券識別装置は、筐体の前方に設けられ、金券の挿入を受け付ける挿入口と、挿入口から挿入された金券を搬送する搬送部と、筐体内部の所定位置に格納可能であって、搬送部によって搬送された金券を収納する収納器具と、収納器具を、筐体の所定位置に格納する方向および筐体の外部に排出する方向の少なくとも一方に移動させる排出駆動手段と、収納器具を、筐体へ挿入もしくは筐体から排出させる出口と、排出駆動手段の駆動力を、収納器具に伝達する伝達手段と、収納器具の所定の面の少なくとも一部に設けられ、伝達手段と嵌合して駆動力を受ける嵌合歯と、を備え、伝達手段は、排出駆動手段と嵌合歯との間に介在して、相互に嵌合して回動可能な、第１伝達部と第２伝達部を有し、第１伝達部が回動する場合には、第２伝達部は回動するのに対して、第２伝達部が回動する場合には、第１伝達部は回動不可である。
【発明の効果】
【００３０】
本発明の金券識別装置は、金券を収納・保管する収納器具を、独立した部材として構成でき、この独立した収納器具を、排出することで金券の回収を容易にできる。この結果、多くの金券識別装置が設置される場所（例えば、遊戯場やカジノなど）では、運営者や管理者が、営業時間外の限られた時間内で、容易かつ効率的に、収納器具を排出させて、金券を回収できる。
【００３１】
また、金券を収納する収納器具に設けられる蓋が、金券識別装置の前面であって、収納器具を排出させる出口の蓋を兼用するので、シャッターが不要となる。この結果、シャッターの開閉に必要となっていた駆動手段（モータ）や、ロックのためのソレノイドが不要となり、コスト低下および小型化等が図られる。
【００３２】
また、収納器具を排出するための排出駆動手段の駆動源であるモータと、最終的に収納器具を前後動作させる嵌合歯とをつなげる中間部材が、一方向にしか動かない構造を有しているので、モータの不正動作や誤動作、あるいは、不正者によって、収納器具を無理に引っ張り出そうとする手段による、不測の収納器具の排出がされることはない。
【００３３】
あるいは、排出駆動手段のモータに繋がる歯車などの伝達部品が、所定条件で嵌合しなくなることで、やはりモータの不正動作や誤動作による、不測の収納器具の排出が成されることはない。
【００３４】
このように、収納器具が、盗難や誤動作により排出されることがなくなり、金券の盗難や紛失が防止され、本発明の金券識別装置は、高い信頼性を生じさせることができる。この高い信頼性によって、遊戯場やカジノのように、多数の金券識別装置を必要とする場所において、多数の金券識別装置を設置することができるようになる。
【図面の簡単な説明】
【００３５】
【図１】本発明の実施の形態１における金券識別装置の斜視図である。
【図２】実施の形態１における収納器具の斜視図である。
【図３】実施の形態１における収納器具の斜視図である。
【図４】本発明の実施の形態１における金券識別装置の内部斜視図である。
【図５】本発明の実施の形態１における金券識別装置１００の動作状態を示す説明図である。
【図６】本発明の実施の形態１における収納器具の斜視図である。
【図７】本発明の実施の形態２における金券識別装置の斜視図である。
【図８】本発明の実施の形態２における通常動作での伝達手段の斜視図である。
【図９】本発明の実施の形態２における通常状態での伝達手段の側面図である。
【図１０】本発明の実施の形態２における異常状態での伝達手段の斜視図である。
【図１１】本発明の実施の形態２における異常状態での伝達手段の側面図である。
【図１２】本発明の実施の形態３における収納器具とロック部材との関係を示す斜視図である。
【図１３】本発明の実施の形態３における収納器具とロック部材との関係を示す斜視図である。
【発明を実施するための形態】
【００３６】
本発明の第１の発明に係る金券識別装置は、筐体の前方に設けられ、金券の挿入を受け付ける挿入口と、挿入口から挿入された金券を搬送する搬送部と、筐体内部の所定位置に格納可能であって、搬送部によって搬送された金券を収納する収納器具と、収納器具を、筐体の所定位置に格納する方向および筐体の外部に排出する方向の少なくとも一方に移動させる排出駆動手段と、収納器具を、筐体へ挿入もしくは筐体から排出させる出口と、排出駆動手段の駆動力を、収納器具に伝達する伝達手段と、収納器具の所定の面の少なくとも一部に設けられ、伝達手段と嵌合して駆動力を受ける嵌合歯と、を備え、伝達手段は、排出駆動手段と嵌合歯との間に介在して、相互に嵌合して回動可能な、第１伝達部と第２伝達部を有し、第１伝達部が回動する場合には、第２伝達部は回動するのに対して、第２伝達部が回動する場合には、第１伝達部は回動不可である。
【００３７】
この構成により、排出駆動手段が適正に操作される場合には、収納器具の挿入および排出が適切になされるが、不適正な操作や動作の場合には、収納器具は、挿入もしくは排出が行われない。結果として故障や金券の盗難が防止される。
【００３８】
本発明の第２の発明に係る金券識別装置では、第１の発明に加えて、第１伝達部は、排出駆動手段に動力伝達可能に接続し、第２伝達部は、嵌合歯に動力伝達可能に接続し、第１伝達部および第２伝達部は、直接的もしくは間接的に動力伝達可能に接続する。
【００３９】
この構成により、金券識別装置の伝達手段は、排出駆動手段の駆動力で、収納器具を挿入したり排出したりできる。
【００４０】
本発明の第３の発明に係る金券識別装置では、第１又は第２の発明に加えて、排出駆動手段が回転による駆動力を第１伝達部に伝達する場合には、第１伝達部は回動して、当該回動による動力を、第２伝達部に伝達し、
【００４１】
収納器具に筐体への挿入および排出の少なくとも一方の動力が加わる場合には、第１回動部は、回動しない。
【００４２】
この構成により、不正あるいは誤動作で、強引に収納器具を引き出そうとしても、排出駆動手段が回転せず、収納器具は、排出されることがない。結果、盗難が防止される。
【００４３】
本発明の第４の発明に係る金券識別装置では、第３記載の発明に加えて、第１伝達部が回動しない場合には、第２伝達部も回動しない。
【００４４】
この構成により、不正あるいは誤動作で、強引に収納器具を引き出そうとしても、排出駆動手段が回転せず、収納器具は、排出されることがない。結果、盗難が防止される。
【００４５】
本発明の第５の発明に係る金券識別装置では、第１から第４のいずれかの発明に加えて、第１伝達部は、ウォームを用いる。
【００４６】
この構成により、第１伝達部での逆方向の回転が生じない。
【００４７】
本発明の第６の発明に係る金券識別装置では、第１から第５のいずれかの発明に加えて、排出駆動手段と第１伝達部との間には、第３伝達部および第４伝達部を更に備える。
【００４８】
この構成により、伝達手段は、更なる盗難防止の構成を有することができる。
【００４９】
本発明の第７の発明に係る金券識別装置では、第６記載の発明に加えて、第３伝達部は、排出駆動手段の回転を、第４伝達部に伝達し、第４伝達部は、伝達された回転を、第１伝達部に伝達する。
【００５０】
この構成により、第１伝達部と第２伝達部とが、この第３伝達部と第４伝達部とによって動力伝達される。言い換えれば、第３伝達部と第４伝達部の遮断によって、伝達手段の動作が停止することになる。
【００５１】
本発明の第８の発明に係る金券識別装置では、第６又は第７の発明に加えて、第３伝達部は、排出駆動手段の回転軸と同軸の第１回転軸を有し、第４伝達部は、排出駆動手段の回転軸と異なる第２回転軸を有し、第１回転軸および第２回転軸のそれぞれは、相互に独立している。
【００５２】
この構成により、第３伝達部と第４伝達部が、第１伝達部と第２伝達部との間を、動力伝達することも動力遮断することも可能となる。
【００５３】
本発明の第９の発明に係る金券識別装置では、第６から第８のいずれかの発明に加えて、第３伝達部および第４伝達部のそれぞれは、歯車を有し、歯車同士が嵌合することで、第３伝達部から第４伝達部へ、排出駆動手段の回転による動力を伝達する。
【００５４】
この構成により、第３伝達部と第４伝達部が、第１伝達部と第２伝達部との間を、動力伝達することも動力遮断することも可能となる。
【００５５】
本発明の第１０の発明に係る金券識別装置では、第８又は第９の発明に加えて、第２回転軸は、位置を移動可能であり、第３伝達部および第４伝達部の少なくとも一方に加わる圧力によって、第２回転軸は、当該位置を移動させる。
【００５６】
この構成により、第３伝達部と第４伝達部とが離れることになり、第１伝達部から第２伝達部への動力伝達ができなくなる。また、これら伝達部の損傷や損耗も防止できる。
【００５７】
本発明の第１１の発明に係る金券識別装置では、第１０の発明に加えて、第２回転軸は、第３伝達部および第４伝達部の少なくとも一つに所定値以上の圧力が加わる場合には、当該位置を移動させて、第４伝達部と第３伝達部との動力伝達が遮断される。
【００５８】
この構成により、第３伝達部と第４伝達部とが離れることになり、第１伝達部から第２伝達部への動力伝達ができなくなる。また、これら伝達部の損傷や損耗も防止できる。
【００５９】
本発明の第１２の発明に係る金券識別装置では、第１１の発明に加えて、遮断は、第３伝達部と第４伝達部との嵌合が外れることによって生じる。
この構成により、簡単な構造で、排出駆動手段の暴走などによる問題を発生させないで済む。
【００６０】
本発明の第１３の発明に係る金券識別装置では、第１１又は第１２の発明に加えて、所定値以上の圧力は、排出駆動手段の、所定回転数以上、所定回転以外、所定回転力以上および所定回転時間以上の少なくとも一つの場合に、第３伝達部および第４伝達部の少なくとも一方に加わる圧力値である。
【００６１】
この構成により、所定値によって、排出駆動手段の暴走や不正動作が検出されて、伝達手段の遮断による収納器具の不正な排出や盗難が防止される。もちろん、伝達手段を構成する部材の損傷や損耗も防止できる。
【００６２】
本発明の第１４の発明に係る金券識別装置では、第１から第１３のいずれかの発明に加えて、収納器具は、金券を収納可能な保管部と、保管部の一方の開口部であって、金券識別装置の出口側の開口部（以下、「第１開口部」という）に設けられる回動可能な蓋と、を備え、蓋は、収納器具が金券識別装置内部に格納されている場合には、金券識別装置の露出面における出口を塞ぎ、蓋は、収納器具が、出口から排出された後で回動可能である。
【００６３】
この構成により、収納器具が、別部材として、金券識別装置の筐体から排出可能であっても、収納器具内部の金券の盗難が防止される。また、従来技術で必要だった、シャッターの開閉のためのモータやロックのためのソレノイドが不要である。
【００６４】
本発明の第１５の発明に係る金券識別装置では、第１４の発明に加えて、蓋は、収納器具が、筐体に格納されている場合には、金券識別装置の露出面であって、出口を形成する面と、略同一平面上に存在する。
【００６５】
この構成により、蓋が収納器具の蓋と筐体の出口の蓋とを兼用でき、外観上からも、盗難が防止されやすくなる。
【００６６】
本発明の第１６の発明に係る金券識別装置では、第１４又は第１５の発明に加えて、出口の開口面積および蓋の面積および形状の少なくとも一方は略同一であるか、もしくは出口の開口面積は蓋の面積より小さい。
【００６７】
この構成により、蓋は、確実に出口を塞ぐことができる。
【００６８】
本発明の第１７の発明に係る金券識別装置では、第１４から第１６のいずれかの発明に加えて、蓋は、収納器具が、筐体内部に格納されている場合には、回動不可である。
【００６９】
この構成により、蓋の無理なこじ開けによる金券の盗難が防止される。シャッターに比べて格段に優れている。
【００７０】
本発明の第１８の発明に係る金券識別装置では、第１７の発明に加えて、蓋は、収納器具が出口から排出された後では、手動および自動の少なくとも一方で回動可能である。
【００７１】
この構成により、排出された収納器具から、内部に収納されている金券が簡単に回収される。
【００７２】
以下、図面を参照しながら、本発明の実施の形態を説明する。
【００７３】
（実施の形態１）
【００７４】
（全体概要）
まず、実施の形態１における金券識別装置の全体概要を説明する。図１は、本発明の実施の形態１における金券識別装置の斜視図である。図１に示される金券識別装置１００は、内部に格納される収納器具１が可視状態となるように、金券識別装置１００の筐体１０１の手前側の側面を取り払った状態を示している。この結果、図１は、金券識別装置１００内部の一部が露出した状態を、示している。
【００７５】
金券識別装置１００は、図１に示される状態で自動販売機や自動貸出機と合わせて設置される。例えば、自動販売機や自動貸出機に組み込まれた状態で設置される。あるいは、自動販売機や自動貸出機と連動しつつ別個に設置される。金券識別装置１００が、パチンコ機やスロットマシン機などに必要な自動玉貸出機に必要である場合には、自動玉貸出機の内部もしくは一緒に設置される。このときには特に、金券識別装置１００は、パチンコ機やスロットマシン機の間の隙間に設置される。このため、金券識別装置１００は、図１に示されるように縦型に設置されることが多い。
【００７６】
パチンコ機やスロットマシン機などを多数設置して遊戯を提供する遊戯場は、多数のパチンコ機やスロットマシン機を、列ごとに並べている。あるパチンコ機の隣に次のパチンコ機が設置され、またその隣に次のパチンコ機が設置される。このため、パチンコ機同士の隣接する隙間や、スロットマシン機同士の隣接する隙間に、自動玉貸し機や自動コイン貸出機が設置されるようになる。多数並んでいるパチンコ機やスロットマシン機のそれぞれに着座している顧客が、その手元でパチンコ玉やコインを取り出したいと考える。
【００７７】
このため、列状に多数並んでいるパチンコ機やスロットマシン機であって、隣接するパチンコ機やスロットマシン機同士の間に、自動玉貸し機や自動コイン貸し出し機が設置される。ということは、図１に示される金券識別装置１００は、同様に、列状に多数並んでいるパチンコ機やスロットマシン機であって、隣接するパチンコ機やスロットマシン機同士の間に、設置されることになる。当然ながら、隣接するパチンコ機やスロットマシン機同士の間（隙間）は、狭い。すなわち、遊戯場などに用いられる場合には（もちろん、それ以外でも）、非常に狭い空間に金券識別装置１００が設置されなくてはならない。このため、金券識別装置１００は、図１に示されるように非常に小型化・薄型化が求められる。
【００７８】
例えば、金券識別装置１００は、パチンコ機やスロットマシン機同士の隙間に、縦置きで設置される。もちろん、パチンコ機やスロットマシン機などが多数並んでいる遊戯場だけでなく、カジノのような遊戯場や、自動販売機や自動貸出機にも、金券識別装置１００が設置される。
【００７９】
（金券識別装置の構成・動作概要）
まず、金券識別装置１００の概要について説明する。
【００８０】
金券識別装置１００は、挿入口１０３、識別部１０４、搬送部１０５、収納器具１、排出駆動手段１０８、搬送駆動手段１０９と、を備える。また、金券識別装置１００は、これらの要素を筐体１０１に格納する。金券識別装置１００は、筐体１０１によってその外形を形成できる。ここで、筐体１０１は、一定の奥行きと高さを有しつつ、幅の小さい薄型かつ縦型である（縦型といっても必ず縦に設置される必要があるものではなく、横に設置されれば横型の筐体である）。このため、金券識別装置１００も、幅の小さな薄型の外形を有するようになる。薄型の外形であることで、狭い隙間（隙間が縦方向であれば、縦方向に設置され、隙間が横方向であれば横方向に設置される）にも、金券識別装置１００が、設置される。
【００８１】
挿入口１０３は、筐体１０１の前方に設けられ、金券の挿入を受け付ける。筐体１０１は、金券識別装置１００の外形を形成するので、挿入口１０３は、設置された金券識別装置１００の前方、すなわち、金券を投入する人に向く側に位置することになる。使用者は、この挿入口１０３に金券を投入する。金券は、紙幣、紙葉類、有価紙類、プリペイドカード、ＩＣカードおよびＩＤカードの少なくとも一つを含む。一般的には紙幣が金券として、挿入口１０３に投入されることが多いが、専用の金券や電子マネーに対応するカード媒体や、プリペイドカード、その他が投入されてもよい。
【００８２】
挿入口１０３に挿入された金券を、搬送駆動手段１０９が、筐体１０１内部に一定の位置まで搬送する。この一定の位置においては、識別部１０４が備わっている。このため、挿入口１０３に挿入された金券は、この挿入口１０３の後段に備わる識別部１０４まで搬送されて到達する。
【００８３】
識別部１０４は、挿入された金券を識別する。金券が識別部１０４の位置まで到達しているので、識別部１０４は、金券を視認（反射光や透過光などの光を用いた識別ができる状態であることを意味する）することができ、この視認を介して金券の真贋および券種のそれぞれを識別できる。識別部１０４が、真贋や券種を識別できることで、金券識別装置１００は、自動販売機や自動貸出機での処理を実行させることができる。
【００８４】
搬送部１０５は、挿入口１０３から収納器具１にかけて挿入された金券を搬送する。すなわち、搬送部１０５は、識別部１０４から収納器具１の間に設けられる。搬送部１０５は、挿入された金券を搬送するために、金券を移動させるローラーなどの回転機構を有しており、この回転機構を用いて金券を搬送する。また、搬送部１０５は、搬送部１０５と別の位置に設けられる搬送駆動手段１０９によって、動作させられる。搬送駆動手段１０９は、搬送部１０５に設けられる回転機構を駆動する。例えば、搬送駆動手段１０９は、モータとモータを制御する制御回路などを有しており、制御されるモータが、回転機構を回転させて、搬送部１０５での金券の搬送を実現する。
【００８５】
搬送部１０５は、挿入口１０３から挿入された金券を、最終的には、搬送部１０５の後段に設けられる収納器具１にまで搬送する。
【００８６】
収納器具１は、搬送部１０５で搬送された金券を一時的に保管するために収納する。収納器具１は、後で詳述するが、金券識別装置１に用いられると共に、金券識別装置１の外形を形成する筐体１０１内部に格納されると共に、筐体１０１の前面および後面の少なくとも一方に設けられる出口１１０から排出される。すなわち、収納器具１は、自動販売機や自動貸出機への支払いに用いられる金券を一時的に保管すると共に、運営者や管理者が、売上げとしての金券を、金券識別装置１００から回収することができる機能を有している。
【００８７】
ここで収納器具１は、搬送部１０５によって搬送される金券を保管する。このため、図１に示されるように、搬送部１０５と収納器具１とは、挿入方向に略平行な同一平面状に配置される。言い換えれば、搬送部１０５と収納器具１とは、金券の挿入方向に沿って同一直線状に設けられる。更に言えば、挿入口１０３、識別部１０４、搬送部１０５および収納器具１とは、挿入された金券の挿入方向（搬送方向）に沿った直線状に並ぶようにして配置される。なお、ここでいう同一平面や同一直線とは、これらの要素が、大枠の中でほぼ重なる平面や直線上に位置することを意味する。すなわち、金券識別装置１００全体が薄型・小型化されることが実現される意味であって、厳密に同じ直線や平面上に位置することを要求するものではない。
【００８８】
搬送された金券が、収納器具１に搬送されると、次第に収納器具１内部の保管部２（収納器具１の内部空間であって、実際に紙幣やプリペイドカードなどの金券が保管される空間）に、金券が溜まっていく。また、図１では明瞭に示されていないが、保管部２に収納される金券への押し当て圧力を付与する押し当て部３が、保管部２に搬送されてくる金券を、保管部２に押し当てて、多くの金券が収納できるようにする。このようにして、保管部２に、制限枚数はあるが、多くの金券が収納されるようになる。
【００８９】
保管部２の一方であって、出口１１０側には、収納器具１は、第１開口部４を有している。この第１開口部４には、後述する蓋５が備わっており、この蓋５が、第１開口部４を塞いだり開放したりできる。また、保管部２の他方は、保管部２に収納される金券の端部を押さえるために、開口していないことが好ましい。
【００９０】
このように、収納器具１は、保管部２という実際に金券を保管する内部空間を備える方形の部材である。この収納器具１が、筐体１０１内部に格納されたり、出口１１０から排出されたりする。
【００９１】
ここで、金券識別装置１００は、上述のように、狭小空間に設置される必要がある。このため、金券識別装置１００の筐体１０１内部に、識別部１０４、搬送部１０５、収納器具１が設けられる。図１からもわかる通り、金券識別装置１００では、幅の小さな筐体１０１の奥行き方向に、挿入口１０３からスタートして、金券の搬送方向に沿って、識別部１０４、搬送部１０５、収納器具１の順序で配置される。すなわち、金券識別装置１００は、金券の搬送と、金券の識別処理等とに無駄の無い構造を有している。この結果、金券識別装置１００は、その幅を薄くできる。
【００９２】
また、このように収納器具１が筐体１０１内部で同一直線上（同一平面上）に備えられることで、収納器具１が出口１１０から排出される際にも、挿入方向と同様に、同一直線上（同一平面上）に、排出されることになる。収納器具１の排出は、運営者や管理者による金券の回収に用いられることになるが、これも同一直線上（同一平面上）となるので、狭小空間に設置された金券識別装置１からの、金券の回収が容易となる。もちろん、薄型化も実現される。
【００９３】
また、搬送部１０５での搬送を駆動する搬送駆動手段１０９と、収納器具１を排出（あるいは挿入）する排出駆動手段１０８とは、搬送部１０５および収納器具１に対して、略垂直の位置に配置される。図１に示されるように、搬送部１０５および収納器具１の下に、制御部１２０が備わっている。制御部１２０は、搬送駆動手段１０９および排出駆動手段１０８を格納する。加えて、これら搬送駆動手段１０９および排出駆動手段１０８の周辺部材を格納する
【００９４】
例えば、排出駆動手段１０８は、モータなどの回転による動力を、筐体１０１に収納器具１が挿入される場合および筐体１０１から収納器具１が排出される場合の前後移動の動作を伝達する伝達手段３００を必要とする。制御部１２０は、この伝達手段３００も格納している。伝達手段３００は、複数の歯車やシャフトなどの機械部品、あるいはセンサなどの電子部品などを含んでおり、これらが、金券が搬送される空間である搬送部１０５や収納器具１の領域に格納されるのではなく、モータなどの電子部品を主とする排出駆動手段１０８や搬送駆動手段１０９などと共に、上記金券が搬送される空間と略垂直の空間である制御部１２０に格納されることが好適である。この結果、やはり、金券識別装置１００の薄型化・小型化が図られる。
【００９５】
すなわち、排出駆動手段１０８および搬送駆動手段１０９に係る各種電子部品や機械部品が、搬送部１０５および収納器具１の下方の空間（もしくは上方の空間）に配置される制御部１２０に格納されることで、搬送部１０５や収納器具１の幅方向への悪影響が無くなる。
【００９６】
このように、機械部品や電子部品の多くが、金券を搬送させつつ保管する物理空間の下方の空間である制御部１２０に格納されることで、金券識別装置１００は、幅方向を薄くできる。特に、制御部１２０が下方に格納されれば、金券識別装置１００が横方向に設置される場合でも、高さ方向の厚みが薄くなる。この結果、実施の形態１における金券識別装置１００は、狭い隙間に設置されやすくなる。
【００９７】
特に、パチンコ機やスロットマシン機の自動玉貸出機に合わせて設置される場合には、パチンコ機やスロットマシン機の間の隙間に設置される必要がある。特に、遊技場では、多数のパチンコ機やスロットマシン機が並んでいるが、多数のパチンコ機やスロットマシン機のそれぞれの間に設置されることとなる。このような隙間は小さい上に、隣接する隙間での吸収余力がない（隣接する隙間にも、金券識別装置が設置される必要があるので）。このため、金券識別装置１００は、その厚みを薄くすることが重要である。
【００９８】
（１）金券の挿入、搬送、保管の一連の処理を実行する要素が、挿入方向に沿った直線上に配置され、（２）保管された金券の排出を実行する要素が（１）と同じ直線上に配置され、（３）処理の駆動や制御に関る機械部品や電子部品が、（１）と同じ直線上でありながら、垂直方向に位置する空間にまとめられる、ことで、金券識別装置１００は、厚みを薄くできる。
【００９９】
このような構造上の工夫によって、金券識別装置１００は、所定の大きさに収まるようになる。
【０１００】
（収納器具）
次に、上述で説明したような金券識別装置１００に用いられる収納器具１について説明する。収納器具１は、上述のように、販売や貸し出しの際に使用者が挿入する金券を一時的に保管すると共に、一定量となった場合や一定時間たった場合に、運営者や管理者によって、回収される。この回収のために、収納器具１は、筐体１０１から排出される。格納と排出は、筐体１０１の前面および後面の少なくとも一方に設けられる出口１１０を介して、行われる。
【０１０１】
図２は、実施の形態１における収納器具の斜視図であり、収納器具の裏側（保管部２の底面８となる）部分から見た図面である。図２からもわかる通り、収納器具１は、方形を有しており、第１開口部４および表面９以外は、基本として、底面８のように壁面で囲まれている。もちろん表面９も、開口していてもよいが、壁面で囲まれてもよい。
【０１０２】
収納器具１は、図２、図３に示されるように、方形状の立体を有している。金券を収納可能な形状および内部空間である保管部２を有している。保管部２は、少なくとも底面８と、収納器具の移動方向に沿った側壁部材７と、第１開口部４および第１開口部４と対向する端部部材６と、で形成される。また、底面８と対向する表面９も有する。底面８と表面９とは、収納器具１が実際に金券を収納する内部空間である保管部２において、金券を支える支持面（底側）となるのか、搬送部１０５から搬送される金券が挿入される際に押し当て部３によって押し当てられる面（開口面）となるのかは、いずれがなっても構わない。
【０１０３】
もちろん、開口面がなく、紙幣は、底面８および表面９とに挟まれて、底面８もしくは表面９が可動であることで、押し当て部３が金券を圧縮してもよい。このため、底面８および表面９は、確定された役割によって示される名称ではなく、金券を収容しつつ取り出しできる保管部２の対向する面であると、把握されればよい。なお、底面８および表面９の両方は、板材のような面で保管部２を囲んでいてもよいし（この場合には、金券は、第１開口部４から取り出される）、いずれか一方が開口していてもよい。後者の場合には、開口している底面８および表面９のいずれかから金券が取り出される。更には、押し当て部３が、この開口している側に圧力を押し当てて多くの金券が、保管部２に保管されるようにされればよい。
【０１０４】
なお、図２、図３では、底面８が図において見える側に示されているが、底面としての板状などの部材が存在せず、開口した状態（すなわち、底面としての物理的な部材が存在しない）であって、図２、図３においては、この底面８から保管部２に収納されている金券が見えている状態であるとみなしてもよい。
もちろん、逆に、底面８は、物理的な部材として示されており、図２、図３の裏面であって図では見えない表面９が開口しており、この表面９から金券が見えている状態であるとみなしてもよい。
【０１０５】
これらによって、収納器具１の大まかな立体が形成される。これに、図２、図３のように蓋５が取り付けられる。この蓋５は、第１開口部４を塞ぐが、図２、図３のように、一定の離隔距離を有していてもよい。これは、収納器具１の排出後に蓋５が回動して、保管部２の金券を取り出しやすいためである。
【０１０６】
表面９が開口されている場合には、挿入口１０３に挿入されて搬送部１０５によって搬送された金券が保管部２に収納されやすくなる。搬送してそのまま押し当て部３によって底面８に押しつけられて金券が、保管部２に収納されるからである。加えて、収納器具１が出口１１０から排出された後で、この開口されている表面から金券を取り出しやすいメリットもある。
【０１０７】
一方、表面９が塞がれていてもよい。表面９に板材が設けられており、この板材と底面８との間に、搬送部５によって搬送された金券が収納されて保管される。表面９を塞ぐ板材は、底面８に対して上下に可動でき、押し当て部３が、この可動する板材を押し当てることで、保管部２内部（底面８と板材との間の空間）に金券が効率よく保管される。この場合には、出口１１０から排出された収納器具１から、不用意に金券が零れ落ちることがなく、金券の紛失などの事故を防止できる。
【０１０８】
また、この場合には、排出された収納器具１からは、第１開口部４（蓋５が開くことで、第１開口４が露出する）を介して、金券が取り出されればよい。
【０１０９】
このように、収納器具１は、金券識別装置１００に格納されている場合には、搬送される金券を効率よく収納する機能・構造を有し、金券識別装置１００から排出される場合には、効率よく金券を取り出して回収する機能・構造を有することが好適である。
【０１１０】
また、上述の通り、第１開口部４に蓋５が設けられる。蓋５は、回動可能であり、第１開口部４を開放したり閉じたりするように回動する。図３は、本発明の実施の形態１における収納器具の斜視図である。図３は、蓋５が、第１開口部４を開放するように回動している状態を示している。このため、図３のように、蓋５は、収納器具１の長手方向（出口１１０に対する挿入方向もしくは排出方向）に交差する方向に回動することが好ましい。また、回動も、収納器具１に対して底面８側にも表面９側にもいずれにも偏るように行われても良いし、一方向だけ（例えば、図３に示されるように、表面９側だけに回動してもよい）に回動して、第１開口部４を開放したり、閉鎖したりしてもよい。
【０１１１】
なお、蓋５は、収納器具１が筐体１０１に格納されている状態では回動しないが、筐体１０１から排出された後では、回動する。この回動においては、手動で回動しても良いし自動で回動してもよい。
【０１１２】
図１に示されるように、蓋５は、収納器具１が筐体１０１内部に格納されている場合には、筐体１０１の出口（ここから収納器具１が排出される）を塞ぐ。すなわち、筐体１０１内部への侵入を防止する。筐体１０１内部には、金銭的価値のある金券が保管されているからである。すなわち、蓋５は、従来技術におけるシャッターの代わりを行う。
【０１１３】
ここで、従来技術では、このシャッターが開いて、内部に格納されている金券が取り出されていたが、実施の形態１の収納器具１では、収納器具１そのものが、出口１１０から排出される。このため、蓋５は、収納器具１が筐体１０１に格納されている限りは（金券が筐体１０１内部に収納されている限りは）、開閉することはない。このため、蓋５は、出口１１０を不用意に開放することがないので、金券識別装置１００が備える出口１１０からの盗難器具の挿入や、シャッターをこじ開けることでの盗難が防止される。
【０１１４】
また、収納器具１は、出口１１０から筐体１０１内部に挿入されて格納されるが、収納器具１の奥行きは、筐体１０１が収納器具１を格納する内部空間の奥行きに合っている。このため、蓋５は、筐体１０１の前面（筐体１０１の前方の露出面）と略同一平面上に、その表面を合わせるようになる。言い換えれば、蓋５が押し込まれても、収納器具１が筐体１０１の内部空間の更に奥に入ることはない。もちろん、排出動作が実行されなければ、蓋５が、出口１１０の外側にはみ出たり突出したりすることもない。
【０１１５】
蓋５は、回動可能であるが、図３に示されるように、蓋５そのものが一定の厚みを持って、収納器具１の排出方向に交差する方向に回動する。このため、収納器具１が出口１１０から筐体１０１内部に格納されている場合には、出口１１０と略同一面上にその表面を合わせているので、盗難者が、蓋５を引っ張ったり押したりしても、出口１１０の空間内で、蓋５が回動することはない。
【０１１６】
このようにして、収納器具１が、筐体１０１内部に格納されている限りは、蓋５が回動することがないので、内部に収納されている金券の盗難が防止される。
【０１１７】
蓋５は、図３に示されるように、出口１１０から排出された後で、初めて回動可能となる。この結果、第１開口部４が開放されて、収納器具１の保管部２に収納されている金券が回収されるようになる。
【０１１８】
また、蓋５は、上述の通り、筐体１０１内部に格納されている場合には、金券識別装置１００の露出面（例えば、前面）と、略同一の平面上に存在する。すなわち、蓋５は、いわゆる表面とつらいちである状態である。蓋５は、筐体１０１内部に格納される収納器具１の第１開口部の蓋となるだけでなく、金券識別装置１００の出口１１０の蓋も兼用することになる。
【０１１９】
加えて、蓋５は、筐体１０１の出口１１０の開口面積と略同一の面積、略同一の形状を有しており、蓋５は、収納器具１が筐体１０１内部に格納されている場合には、蓋５は、筐体１０１の出口１１０（この出口１１０から収納器具１が、金券を収納したままで排出される）を、完全に塞ぐことができる。また、既に述べてきたように、実施の形態１の収納器具１は、金券識別装置１００に用いられるだけでなく、筐体１０１の出口１１０（収納器具１の挿入と排出を行う出口）から排出されて、金券の回収にも使用される（逆に言えば、金券の保管にも使用される）。
【０１２０】
このように、排出後に始めて回動する蓋５と、蓋５をシャッターと開口の兼用とする方形立体の収納器具１と、収納器具１そのものが、筐体１０１に格納および筐体１０１からの排出が行われる本発明によって、次のような作用・機能を生じさせる。
【０１２１】
（１）シャッターを用いないことで、出口が無理やりこじ開けられたりして、筐体内部に収納されている金券が、盗難される心配が減少する。
（２）シャッターを用いず、蓋５ごと収納器具１を出口１から排出させることで、シャッターを開閉させるためだけのモータと周辺部品が不要となる。
（３）（２）に合わせて、シャッターのこじ開け防止（ロック）のために必要となるソレノイドとその周辺部品が不要となる。
（４）一定の厚みのある蓋が、シャッター代わりとして、収納器具１が筐体１０１内部に格納されている場合には、回動することがそもそも不可能であることで、こじ開け等による盗難が防止される。加えて、蓋５は、出口１１０の面積と略同一の面積を有しているので、蓋５は、出口１１０を確実に塞ぐことができる。これにより、隙間などからの金券の取り出しなども防止される。
（５）蓋５が、収納器具１の排出後に始めて回動することで、排出後には、容易に金券が回収されるようになる。収納器具１が排出された後では、蓋５は、自動もしくは手動で回動する。この回動によって、収納器具１の第１開口部４が開放されて、この第１開口部４から、金券が取り出し可能となる。
（６）収納器具１が、金券を保管した状態で、そのまま排出されるので、金券の回収が確実かつ容易となる。金券だけを押し出して排出する場合に比べて、排出時に金券が出口や排出経路で引っ掛かったり、詰まったりすることもなくなる。もちろん、収納器具１が格納されている状態では、きちんと金券が収納されて、金券が収納器具１内部であふれたりすることもない。
【０１２２】
このように、実施の形態１の収納器具は、部品点数を削減してコストダウンし、当然ながら小型化や薄型化を実現し、更には、盗難防止および金券の定期的回収容易性を高めることができる。
（伝達手段）
次に、伝達手段について説明する。収納器具１は、格納と排出との動作をするために、排出駆動手段１０８からの駆動力を受ける。ここで、排出駆動手段１０８はモータのように回転力を生み出す部材であるので、収納器具１は、排出駆動手段１０８の動力を直接受けて移動動作しない。モータなどによる排出駆動手段１０８の回転力を、収納器具１に与える必要がある。
【０１２３】
図４は、本発明の実施の形態１における金券識別装置の内部斜視図である。内部特に制御部１２０に関する部分が露出して可視状態となって見えるようになっている。
【０１２４】
図４に示されるように、まず収納器具１は、排出駆動手段１０８からの駆動力を、前後移動の動作とするための嵌合歯１１を備えている。また、この嵌合歯１１と排出駆動手段１０８との間には、伝達手段３００が備わっており、この伝達手段３００が、排出駆動手段１０８の駆動力を嵌合歯１１に伝達する。すなわち、伝達手段３００は、その一部が、嵌合歯１１と勘合することで、排出駆動手段１０８の駆動力を収納器具１に伝達する。この伝達によって、収納器具１は、排出駆動手段１０８の駆動力によって排出されたり格納されたりする。
【０１２５】
ここで、伝達手段３００は、排出駆動手段１０８と嵌合歯１１との間に介在して相互に嵌合して回動可能な第１伝達部３０１と第２伝達部３０２とを、有している。第１伝達部３０１が回動する場合には、この回動をうけて第２伝達部３０２が回動するのに対して、第２伝達部３０２が回動する場合には、この回動を受けても、第１伝達部３０１は、回動しない。
【０１２６】
第１伝達部３０１は、排出駆動手段１０８動力伝達可能に（すなわち、直接的もしくは間接的でも直接的と同様の意味合いで）接続する。これに対して、第２伝達部３０２は、排出駆動手段１０８からみれば、第１伝達手段３０１よりも遠い位置に存在し、嵌合歯１１に動力伝達可能に接続している。また、第１伝達部３０１と第２伝達部３０２とは、直接的もしくは間接的に動力伝達可能に接続している。
【０１２７】
このような構造を有することで、例えばモータなどである排出駆動手段１０８が回転してその回転動力を第１伝達部３０１に与える場合には、第１伝達部３０１はこの動力を第２伝達部３０２に伝達して、第２伝達部３０２が回動する。この回動に合わせて、第２伝達部３０２と直接的もしくは間接的に嵌合する嵌合歯１１に前後移動の動力が加わり、収納器具１が前後動作する。結果的に、収納器具１は、出口１１０から排出されたり、挿入されたりする。
【０１２８】
一方、収納器具１を無理やり引っ張り出そうとしたりして、嵌合歯１１が第２伝達部３０２に動力を与えて回動させたとしても、第１伝達部３０１は回動しない。第１伝達部３０１が回動しなければ、モータなどである排出駆動手段１０８の動作に係らず、伝達手段３００全体では、動力伝達が遮断されてしまう。この遮断によって、嵌合歯１１は、第２伝達部３０２による前後動作を生じさせることができなくなる。
【０１２９】
すなわち、排出駆動手段１０８が回転による駆動力を第１伝達部３０１に伝達する場合には、第１伝達部３０１は回動する。第１伝達部３０１は、この回動を第２伝達部３０２に伝達して、第２伝達部３０２も回動する。この回動によって、第２伝達部３０２は、自身と嵌合する収納器具１の嵌合歯１１を移動させ、収納器具１は、前後移動の動作を行う。第２伝達部３０２の回動は、収納器具１を出口１１０から排出させたり、出口１１０から筐体１０１内部に挿入させたりできる。排出されれば、当然に、収納器具１が収納する金券が回収される。
【０１３０】
逆に、上述の通り、誤動作や不正動作によって、収納器具１が無理に引き出されるような前後移動の動作の際には、嵌合歯１１から第２伝達部３０２に動力が伝わる。しかしながら、第２伝達部３０２の回動の動力が生じても、第１伝達部３０１は、回動しない。すなわち、第１伝達部３０１が、ストッパー（ブレーキ）となって、結局第２伝達部３０２も嵌合歯１１も動くことがなくなる。結局、収納器具１は、前後移動することがなくなる。つまり、収納器具１は、排出も挿入も無理にはなされない。
【０１３１】
もちろん、第１伝達部３０１が回動しない場合には、第２伝達部３０２も回動しない。このときも、収納器具１は、排出も挿入も無理にはなされない。
【０１３２】
このように、誤動作や不正動作によって、排出されることがなくなる。すなわち、保管部２に保管されている金券の盗難が防止される。
【０１３３】
なお、第１伝達部３０１、第２伝達部３０２は、回動しても、回転してもよい。要は、モータなどの回転駆動力を受けて、嵌合歯１１を前後動作させるための動力伝達ができれば、第１伝達部３０１および第２伝達部３０２のそれぞれは、歯車のように回転するものであってもよいし、蝶番構造部材のように回動する物であってもよい。もちろん、歯車であって、完全に回転せず一部のみが往復回転、すなわち回動するものであってもよい。
【０１３４】
ここで、第１伝達部３０１は、ウォームといわれる部材が用いられることが公的である。このウォームといわれる部材は、歯車と直角に交わっている場合には、ウォームから歯車を回転させることができるが、歯車からウォームを回転させることはできない。このような特性を有するウォームといわれる部材が、第１伝達部３０１に用いられることで、上述のような一方回転のみとなって、不正者が、収納器具１を無理に引っ張り出すことが防止される。
【０１３５】
なお、ここでは、収納器具１が、筐体１０１から完全に排出される金券識別装置１において独立した部材であることを前提に説明した。しかし、例えば、収納器具１の一部（大部分であってもよい）が、出口１１０から突出するように排出され、完全に取り出される構造でなくてもよい。すなわち、本明細書で述べる「収納器具１の出口１１０からの排出は、筐体１０１の外部に完全に取り出される場合と、筐体１０１内部に一部を残した状態で突出される場合」と、を含む。
【０１３６】
前者のように、収納器具１が、筐体１０１から完全に取り出される場合には、運営者や管理者によって、金券の回収作業が容易となる。あるいは、収納器具１のままで回収され、回収された複数の収納器具１が集められてから、金券の回収と会計処理が済まされるというメリットがある。この場合には、回収を行う作業者の不正を、遊戯場や金券識別装置を備える装置や施設の管理者が、防止できるメリットを生じさせる。
【０１３７】
後者のように、収納器具１が、筐体１０１から完全に取り出されない場合には、収納器具１からの金券の回収の容易性は若干下がるが、収納器具１が紛失したり故障したりする（落下などにより）、ことが防止される。もちろん、収納器具１そのものの盗難も防止されるメリットもある。
【０１３８】
（動作手順）
次に、収納器具１の動作および金券識別装置１００の動作手順について説明する。図５は、本発明の実施の形態１における金券識別装置１００の動作状態を示す説明図である。
【０１３９】
（挿入）
使用者は、挿入口１０３に金券を挿入する。金券の例として紙幣について説明する。挿入口１０３は、紙幣５１の大きさに合わせた形状と大きさを有したスリット状であり、使用者が紙幣５１を所定方向（長さ方向）に挿入しやすくなっている。また、一度に挿入できる枚数を制限する厚みを有している。挿入口１０３は、挿入された紙幣５１を識別部１０４に到達させる程度まで、挿入された紙幣５１が移動できるように、奥行きを有している。挿入された紙幣５１は、その先端を識別部１０４に到達させることができる。もちろん、挿入口１０３から挿入された紙幣５１が、搬送部１０５の働きによって識別部１０４の位置まで搬送されて、識別部１０４に紙幣５１が到達してもよい。
【０１４０】
（識別処理）
識別部１０４は、到達した紙幣５１を識別するために、複数の発光部およびこの発光部に対応する複数の受光部を備える。
【０１４１】
識別部１０４は、複数の発光部と複数の受光部とを有する。この複数の発光部および複数の受光部は、それぞれ発光部と受光部の組み合わせとなったり、一つの素子で発光部と受光部を構成したりする。識別部１０４は、挿入される紙幣５１の真贋と券種を、これらの発光部と受光部の組み合わせに基づいて識別する。
【０１４２】
複数の発光部および受光部の少なくとも一部は、挿入検知センサーを構成する。加えて、複数の発光部および受光部の少なくとも一部が、識別用センサーを構成する。挿入検知センサーは、紙幣５１が挿入されたことを検知し、識別用センサーは、挿入された紙幣５１の真贋および券種を識別する。
【０１４３】
また、識別用センサーは、発光部から紙幣５１を透過した透過光を利用したり、発光部から紙幣５１を反射した反射光を利用したりして、挿入された紙幣５１の真贋や券種を識別する。このとき、透過光や反射光の光量の変化、波長の変化、周波数の変化など（あるいはこれらの組み合わせ）を利用して、識別を実行する。
【０１４４】
加えて、挿入検知センサーや識別用センサーは、透過光や反射光を、種々に組み合わせて使用するので、複数の発光部や受光部のそれぞれは、紙幣５１に対して、片方側だけに備わる場合と両方に備わる場合とがある。すなわち、挿入された紙幣５１の表面側（一方側）と裏面側（他方側）の片方だけに、複数の発光部や受光部が備わる場合もあるし、紙幣５１の表面側と裏面側のそれぞれに、複数の発光部と受光部とが分かれて配置されることもある。
【０１４５】
識別部１０４は、このように紙幣５１が挿入されたことを検知する挿入検知センサーと、紙幣５１の真贋および券種を識別する識別用センサーとの機能を有する。この２つの機能によって、識別部１０４は、挿入された紙幣５１を識別して、自動販売機や自動貸出機での販売や貸し出し処理を実現できる。
【０１４６】
挿入検知センサーは、上述の通り、複数の発光部と受光部とで検出される光量の変化、あるいは波長や周波数の変化で、紙幣５１の挿入をまず検知する。次に、識別用センサーは、挿入された紙幣５１の真贋を判定する。反射光や透過光の光量の変化に基づく識別においては、予め紙幣５１によって想定される変化を閾値や参考値として記憶しておくことで、識別部１０４の識別用センサーは、紙幣５１の真贋を識別する。
【０１４７】
識別部１０４は、このように光量の変化を閾値や参考値と比較することで、紙幣５１の真贋を判定する。例えば、紙幣５１の種類（１、０００円札、２，０００円札、５，０００円札、１０，０００円札）のいずれにも該当しない周波数（波長）を、反射光や透過光が示す場合には、挿入口１０３から挿入されたこの紙幣５１は、偽札である可能性がある。
【０１４８】
紙幣５１は、紙の種類、印刷の凸凹、印刷インクの種類などを様々に工夫してあり、反射光や透過光において、特定の周波数（波長）を示すはずだからである。本来のあるべき周波数（波長）のいずれにも合致しないということは、挿入された紙幣５１が偽札である可能性が高い。識別部１０４は、偽札と識別する。
【０１４９】
次に、識別センサーは、これら券種に対応する光量、波長、周波数などによって、挿入された紙幣５１の券種を識別する。この券種識別によって、金券識別装置１００と接続される自動販売機や自動貸出機は、どの金額の商品を提供してよいかを決定できるようになる。このように、識別センサーが、挿入された紙幣５１は、搬送部１０５によって、収納器具１に搬送される。このとき、搬送部１０５に設けられるローラー（紙幣５１を送るのに用いられる）などは、搬送駆動手段１０９によって駆動される。すなわち、識別部１０４は、挿入された紙幣５１が真券であると識別した場合には、当該結果を搬送駆動手段１０９に通知し、搬送駆動手段１０９が、この搬送部１０５を動作させて、紙幣５１を収納器具１の保管部２に向けて搬送する。
【０１５０】
ここで、識別センサーは、複数の発光部から発光された光の、透過光（紙幣５１を透過して対向する受光部に到達する光）および反射光（紙幣５１で反射して、発光部と同じ側に設けられる受光部に到達する光）の少なくとも一部を用いて、紙幣５１の真贋と券種を識別する。あるいは、透過光と反射光の一方を用いて、紙幣５１の真贋と券種を識別する。このとき、識別センサーは、光量、波長、周波数、振幅などの、光に関する様々なパラメータの少なくとも一部を用いてもよいし、これらのパラメータの組み合わせを用いてもよい。
【０１５１】
予め、券種ごとに用意されているこれらの閾値テーブルなどと比較することで、識別センサーは、上記のように、光量、波長、周波数、振幅などの、光に関する様々なパラメータの少なくとも一部を用いてもよいし、これらのパラメータの組み合わせを用いてもよく、真贋と券種を識別する。
【０１５２】
一方、識別部１０４が、挿入された紙幣５１が偽札であると判断した場合には、識別部１０４はその識別結果を搬送駆動手段１０９に通知する。通知を受けた搬送駆動手段１０９は、逆方向の駆動力を生じさせる。この逆方向の駆動力によって、識別部１０４は、偽札と識別した紙幣５１を、挿入口１０３から筐体１０１の外部に押しだす。使用者が、悪意で偽札を使用した場合であれば、当然ながら窃盗防止や犯罪防止となるからである。あるいは、使用者が気付かずに偽札を使用した場合でも、被害防止になるからである。
【０１５３】
なお、ここでは紙幣５１を金券の一例として説明したが、専用引換券、プリペイドカード、ＩＣカードなどのいずれであっても、識別部１０４が贋物であると判断する場合には、搬送駆動手段１０９の逆駆動力を利用して、挿入された金券を、挿入口１０３から筐体１０１の外部に押し出す。
【０１５４】
（搬送処理）
搬送部１０５は、挿入口１０３から挿入された紙幣５１を収納器具１にかけて搬送する。搬送駆動手段１０９は、上述のように、真贋や券種の識別が終わった紙幣５１を、収納器具１の保管部に搬送する。
【０１５５】
搬送部１０５は、制御部１２０に備えられる搬送駆動手段１０９によって、紙幣５１を搬送する。このとき、搬送部１０５は、搬送駆動手段１０９によって回転される回転部材を用いることで、紙幣５１を収納器具１に向けて搬送する。回転部材は、ローラーであってモータイヤ状のものであってもよい。例えば、紙幣５１を痛めない柔軟性のある素材で形成されたローラーやタイヤであって、搬送駆動手段１０９によって回転させさられる。回転部材は、順方向回転と逆方向回転とを、可能である。真券の場合には順方向回転を行って、紙幣５１を収納器具１に搬送し、偽札の場合には、逆回転方向を行って、紙幣５１を挿入口１０３から外に排出させる。
【０１５６】
搬送部１０５は、独立した要素としてとらえられる必要があるものではなく、搬送駆動手段１０９の駆動力によって、挿入口１０３に挿入された紙幣５１を、収納器具１にまで搬送する機能を発揮する要素としてとらえられればよい。すなわち、搬送部１０５は、収納器具１の一部としての外見を有していてもよい。要は、搬送駆動手段１０９の駆動力によって、紙幣５１を搬送する機能を発揮しつつ、紙幣５１の搬送空間が、挿入口１０３と収納器具１とを結ぶ直線上にあることが適当である。この結果、金券識別装置１が薄型化・小型化されるからである。
【０１５７】
なお、搬送部１０５は、紙幣５１を収納器具１に搬送する際に必要とする駆動力を、搬送部１０５および収納器具１の上方もしくは下方にある制御部１２０より得る。このため、紙幣５１が実際に移動する移動空間においては、電子回路、回路基板、電子部品などが設けられず、金券識別装置１００の薄型化が実現される。搬送部１０５は、紙幣５１の搬送方向においては（すなわち、金券識別装置１００の奥行き方向において）回転部材５５などの物理的部材と物理的空間のみとなる。このため、金券識別装置１００の幅は、保管する複数の紙幣５１の厚みのみで決定されるようになる。これも合わせて、金券識別装置１の薄型化・小型化が実現される。
【０１５８】
搬送部１０５は、紙幣５１が収納器具１に到達すると、搬送処理を終了させる。
【０１５９】
（保管処理）
収納器具１は、搬送部１０５によって搬送された紙幣５１を、その保管部２に保管する。収納器具１は、図１など明らかなように、搬送部１０５と同一直線上に形成される部材であり、既述したように、筐体１０１の出口１１０から筐体１０１内部の所定の位置に格納される。加えて、筐体１０１の出口１１０から筐体１０１の出口から排出されて完全に筐体１０１の外側に取り出される、もしくは筐体１０１に一部が残っている状態で排出される部材である。
【０１６０】
保管部２は、紙幣５１を始めとした種々の金券を保管可能なサイズを有している。但し、非常に小型の金券と一般的な紙幣５１とでは、大きさに大きな違いがあるので、いずれも保管できるサイズを有していてもよいが、保管や回収時の確実性を考慮して、使用される現場での要望に応じて、収納器具１の保管部２の大きさ（すなわち収納器具１の大きさ）、様々に用意されていることも好適である。
【０１６１】
収納器具１は、保管部２に搬送されて到達した紙幣５１を、収納しやすいように保管部２の底面８もしくは表面９に押し当てる押し当て部３を有する。図６は、本発明の実施の形態１における収納器具の斜視図である。図６は、保管部２とそこに入ってくる紙幣５１を底面８に押し当てる押し当て部３を示している。押し当て部３は、弾性体３１も用いて紙幣５１に圧力を付与して、保管部２内部により多くの紙幣５１が保管されるようにする。紙幣５１同士の隙間がなくなるからである。なお、上述の通り、底面８と表面９のそれぞれは、便宜的なものであり、いずれ側から紙幣５１から押し当てられるのか、いずれ側が押し当てられた紙幣５１を受けるのかは、特段の区別を行う必要はない。
【０１６２】
押し当て部３は、紙幣５１への圧力付与をしやすいように、平面的な押し当て板材をもって、紙幣５１を底面８に押し付ける。この結果、保管部２において、多くの紙幣５１が保管されて、収納器具１は、予定可能な数量の金券を収納でき、収納器具１の出口１１０からの排出による回収の頻度や回数を減少させることができる。この点でも、盗難や事故を防止できる。
【０１６３】
（排出処理）
収納器具１は、その幅によって制限される所定枚数の紙幣５１（金券）を保管する。
【０１６４】
しかしながら、所定枚数の紙幣５１が挿入されてしまうと、収納器具１での保管に限界が生じる。収納器具１での保管ができなくなり、挿入口１０３は、紙幣５１の挿入を受け付けなくなることもある。挿入を受け付けないと、当然ながら金券識別装置１００は、その作業を停止しなくてはならない。
【０１６５】
また、所定枚数以上の保管が生じているだけでなく、収納器具１は、一時的な保管を行うに過ぎないので、所定の時期には、保管されている紙幣５１が回収される必要がある。売上げ計算のためである。例えば、所定時間ごとに回収されたり、夜間などの営業時間外に、運営者や管理者によって、収納器具１に保管されている金券が回収されたりする。
【０１６６】
収納器具１は、図２、図３を用いて既に述べた通り、略方形の立体形状を有しているので、出口１１０から挿入する際には、筐体１０１内部の専用の空間に簡単に挿入して格納させることができる。同様に、収納器具１に対して、外部もしくは内部から排出の指示を受けると、排出駆動手段１０８が動作して、収納器具１を、出口１１０から排出させる。蓋５が、出口１１０を塞ぐことを兼ねているので、排出されることで出口１１０が開放されることになる。
【０１６７】
排出に際しては、制御部１２０に設けられている排出駆動手段１０８が、収納器具１の筐体１０１外部への排出を駆動する。排出駆動手段１０８は、搬送駆動手段１０９と同様に、制御に必要な電子回路、電子部品、ソフトウェア、モータなどを備えており、モータなどの往復駆動を可能とする部材によって、収納器具１を、筐体１０１の外部に排出できる。
【０１６８】
（蓋）
図２、図３で説明したように、収納器具１は、その一端に蓋５を有している。蓋５は、紙幣５１などの金券を先端から取り出し可能な第１開口部４を、閉じることも開放することもできる。蓋５は、回動可能であり、出口１１０から収納器具１が排出されることで、回動できるようになる。このとき、蓋５は、収納器具１の挿入方向に交差する方向に回動し、自動で回動しても良いし、手動で回動してもよい。図３のように回動して第1開口部４が開放されれば、この第１開口部４から金券が取り出されるようになる。
【０１６９】
ここで、蓋５は、収納器具１の第１開口部４（収納されている金券の取り出し口となる）と、その面積および形状の少なくとも一方において、略同一であることが好ましい。もちろん、面積については、蓋５の面積が大きいことも構わないが、要は、蓋５は、最初の役割として、収納器具１の第１開口部４を、塞ぐ（離隔距離があっても見た目上で塞いでおればよい）。
【０１７０】
更に、蓋５は、金券識別装置１００の筐体１０１の出口１１０の面積および形状の少なくとも一方（できれば両方）と、略同一であることが好ましい。こうすることで、蓋５は、第２の役割として、金券識別装置１００の筐体１０１の出口１１０から、収納器具１が排出されることを前提としたときに、この出口１１０を完全に塞ぐことができるからである。加えて、述べたように、収納器具１が格納されている間は、蓋５が上下左右に、出口１１０の内部で動くことがないので、無理にこじ開けられることもない。また、筐体１０１の露出面（図１では、前方の面であって、通常、金券識別装置１００が設置される場合に前方に来る面）において、出口１１０を形成する付近の面と、略同一平面上となることが好ましい。こうすることで、蓋５が目立たなくなり、盗難防止にも繋がるからである。
【０１７１】
なお、前方の面であっても、図１に示されるように、挿入口１０３などが別平面になるように突出することは構わない。
【０１７２】
また、蓋５は、回動方向の一方に圧力を付与する弾性体を有することも好適である。例えば、図３では、蓋５は、回動のための駆動部分を、両端に有している。この両端あるいは片側にバネ等の弾性体が設けられることで、蓋５が回動する。このような弾性体は、回動方向の一方の方向に圧力を付与する。この圧力によって、例えば、蓋５は、常に第１開口部４を塞ぐ位置に保たれることも好適である。このようであると、排出された収納器具１は、常に第１開口部４が塞がれた状態である。この場合には、第１開口部４から、金券がおちてしまうなどの問題もない。この状態から、手動で蓋５を回動させて、第１開口部４から金券が回収される。
【０１７３】
あるいは、逆に、弾性体は、蓋５を第１開口部４を露出させる位置に保たれるように弾性力を付与することもよい。こうなると、収納器具１が出口１１０から排出されると、即座に蓋５が開いて第１開口部４が露出することになる。このため、排出後即座に、運営者や管理者は、収納器具１に収納されている金券を回収できる。
【０１７４】
ここで、蓋５は、回動可能であるが、第１開口部４の前方で一周するほどの回転を必要とはしない。蓋５は、シャッター代わりに、出口１１０を塞ぎつつ収納部１の第１開口部４を塞ぎ、排出後には、収納器具１の保管部２に保管されている金券を取り出せるようにできればよい。このため、蓋５は、第１開口部４に対して、ある方向だけに所定角度まで回動するだけでもよいし、第１開口部４に対して、上下方向のそれぞれに所定角度まで回動することでもよい。
【０１７５】
なお、排出駆動手段１０８によって収納器具１が排出されるということは、保管されている紙幣５１が回収されるということである。金券識別装置１００の設置者や管理者が、紙幣５１を回収することは問題ないが、無関係者が回収することは、盗難や犯罪に繋がる。このため、排出処理は、所定の鍵や暗証番号を必要条件として行われることが好適である。
【０１７６】
以上のように、回収処理が行われれば、金券識別装置１００に保管されている紙幣５１（金券）が回収されて売上げ処理がなされる。当然ながら、紙幣５１が回収されれば、収納器具１は、空になる。空になることで、収納器具１は、再び紙幣５１を保管できるようになり、金券識別装置１００の処理動作ができるようになる。
【０１７７】
以上のように、実施の形態１の金券識別装置１００用の収納器具１は、金券識別装置１００の小型化と薄型化を実現しつつ、格納と排出で、売上げである金券の回収を容易とする。加えて、収納器具１の蓋５が、金券識別装置１００の出口１１０のシャッターと収納器具１の蓋とを兼用することで、盗難にも強くなる。収納器具１が格納されている間では、蓋５が開閉することがないからである。
【０１７８】
また、出口のシャッターと異なり、蓋５は、シャッターの開閉のためのモータやロックのためのソレノイド（及び周辺部材）を必要としないので、部品点数を削減して、低コスト化、小型化も、実現できる。この結果、自動販売機などはもちろん、パチンコ機やスロットマシン機などの遊戯場でも、好適に使用されるようになる。
【０１７９】
（実施の形態２）
【０１８０】
次に、実施の形態２について説明する。
【０１８１】
実施の形態２では、実施の形態１で説明した第１伝達部３０１と第２伝達部３０２と同様に、盗難者の不正動作（モータである排出駆動手段１０８を不正動作させたり、収納器具１を工具等を使って強引に取り出そうとしたりする動作）や、排出駆動手段１０８の誤動作によって、金券を収納している収納器具１が盗難されることがありえる。また、排出駆動手段１０８の備えるモータは、外部からの不正動作だけでなく、故障やその他の要因（不測の過電流が付与されるなど）で暴走するかのような回転を生じさせることもある。
【０１８２】
このように、排出駆動手段１０８が備えるモータの不正動作や誤動作が生じたり、更に進んで暴走するかのように高速回転したりする場合には、（１）不必要であるにも係らず収納器具１が排出されてしまう（あるいは格納が終わっているのに、更に筐体１０１の奥により挿入が進んでしまう）、（２）所定回転数以上の高速回転によって、収納器具１はもちろんのこと、伝達手段３００に強すぎる負荷が加わって、故障（例えば第１伝達部３０１や第２伝達部３０２の歯車が欠けてしまうなど）も生じてしまう。
【０１８３】
実施の形態２の金券識別装置１００は、このような問題を防止する工夫を説明する。
【０１８４】
（第３伝達手段と第４伝達手段）
図７は、本発明の実施の形態２における金券識別装置の斜視図である。図７は、金券識別装置１００の内部の一部が見えるようにして示している。つまり、視認上の便宜のために、筐体１０１の一部を取り除いた状態で示している。特に、制御部１２０内部を、可視状態にして示している。
【０１８５】
排出駆動手段１０８と、収納器具１（特に嵌合歯１１）との間には、排出駆動手段１０８の駆動力を伝達する伝達手段３００が備わっている。実施の形態１で説明した通り、伝達手段３００は、第１伝達部３０１と第２伝達部３０２とを備えており、第１伝達部３０１が排出駆動手段１０８の駆動力を受けて、第１伝達部３０１が第２伝達部３０２に駆動力を伝達する。第２伝達部３０２が嵌合歯１１と嵌合して、収納器具１を前後移動させる。
【０１８６】
実施の形態２の金券識別装置１００では、更にこの排出駆動手段１０８と第１伝達部３０１との間に、第３伝達部３０５と第４伝達部３０６を更に備える。第３伝達部３０５および第４伝達部３０６のそれぞれは、単数もしくは複数の歯車で構成されれば良い。もちろん、歯車以外の機械部品や電子部品が用いられてもよい。いずれにしても、第３伝達部３０５と第４伝達部３０６のそれぞれは、排出駆動手段１０８の駆動力を、第１伝達部３０１に伝達させる。
【０１８７】
ここで、第３伝達部３０５は、排出駆動手段１０８の回転を、第４伝達部３０６に伝達する。更に、第４伝達部３０６は、伝達された回転を、ウォームなどの部品で構成される第１伝達部３０１に伝達する。このように、実施の形態１で説明した盗難防止に用いられるウォームなどの部品で構成される第１伝達部３０１は、このように、第３伝達部３０５と第４伝達部３０６によって、排出駆動手段１０８の駆動力を伝達される。ここで、第３伝達部３０５および第４伝達部３０６のそれぞれは、歯車を有し、第３伝達部３０５の歯車と第４伝達部３０６の歯車のそれぞれが嵌合することで、第３伝達部３０５から第４伝達部３０６へ、排出駆動手段１０８の回転駆動力が伝達される。
【０１８８】
この結果、第４伝達部３０６から第１伝達部３０１に回転駆動力が伝達される。こうして、排出駆動手段１０８の駆動力が、嵌合歯１１を通じて、収納器具１に伝達される。こうして、第３伝達部３０５および第４伝達部３０６は、排出駆動手段１０８の回転駆動力で、伝達手段３００全体で、収納器具１を挿入もしくは排出する。
【０１８９】
また、第３伝達部３０５は、直接的もしくは間接的であるがほぼ直接的と同義で、排出駆動手段１０８に接続している。このため、第３伝達部３０５は、排出駆動手段１０８の回転軸と同軸の第１回転軸４０１を有する。第３伝達部３０５は、この第１回転軸４０１を、回転軸として回転する。
【０１９０】
一方、第４伝達部３０６は、第１回転軸４０１と異なる軸となる第２回転軸４０２を有しており、第４伝達部３０６は、この第２回転軸４０２を、回転軸として回転する。なお、第１回転軸４０１と第２回転軸４０２は、その回転軸としての位置が異なることで、相互に独立している。
【０１９１】
（通常動作）
図８は、本発明の実施の形態２における通常動作での伝達手段の斜視図である。通常状態では、伝達手段３００は、このように第１回転軸４０１および第２回転軸４０２が本来の位置にあり、全ての伝達部が相互に嵌合して、排出駆動手段１０８の回転駆動力が、収納器具１に伝達される。結果として、あるべき状態で、収納器具１の前後移動の動作が行われる。
【０１９２】
第１回転軸４０１と第２回転軸４０２は、通常状態では、第３伝達部３０５と第４伝達部３０６とが相互に嵌合して回転力を伝達できる位置にある。この場合には、排出駆動手段１０８を構成するモータが回転すると、第１回転軸４０１が回転して、この第１回転軸４０１に繋がっている第３伝達部３０５が回転する。
【０１９３】
第３伝達部３０５は、歯車を有しており、この歯車の歯の部分は、第４伝達部３０６を構成する歯車の歯に嵌合している。この結果、第３伝達部３０５の回転が第４伝達部３０６を回転させる。このとき、第４伝達部３０６は、第２回転軸４０２を軸として回転する。上述の通り、第１回転軸４０１と第２回転軸４０２は異なる位置で独立しているので、異なる直線上で、第１回転軸４０１と第２回転軸４０２が、それぞれが個々に回転する。
【０１９４】
第４伝達部３０６は、その回転によって、第１伝達部３０１に回転を付与して、既に述べた通り、最終的に収納器具１の前後移動の動作を生じさせる。
【０１９５】
排出駆動手段１０８が正常に動作する場合（運営者や管理者によって、正式に収納器具１の排出処理がされる場合）には、伝達手段３００を構成するそれぞれの部材が相互に接続および嵌合して、収納器具１の排出もしくは挿入がきちんと実行される。
【０１９６】
図９は、本発明の実施の形態２における通常状態での伝達手段の側面図である。図９は、図８と同じ状態を側面から見た状態を示している。図９から明らかな通り、第１回転軸４０１と第２回転軸４０２のそれぞれは、あるべき本来の位置にあり、第３伝達部３０５と第４伝達部３０６とが嵌合して回転駆動力が伝達される。結果として、第１伝達部３０１、第２伝達部３０２が回転して、収納器具１が、排出もしくは挿入される。
【０１９７】
ここで、第１回転軸４０１と第２回転軸４０２が通常状態において、第３伝達部３０５と第４伝達部３０６とが嵌合するあるべき位置に存在するのは、図８、図９に示される弾性体４１０の弾性力による。
【０１９８】
弾性体４１０は、第１回転軸４０１と第２回転軸４０２が相互に近づくように弾性力を付与する。相互に近づく弾性力が付与されても、第１回転軸４０１には第３伝達部３０５が取り付けられており、第２回転軸４０２には第４伝達部３０６が取り付けられていて、側面等に設けられる歯車の歯同士が嵌合するので、それ以上に近づきすぎない。この弾性力によって、第３伝達部３０５と第２伝達部３０６同士がきちんと嵌合する位置に、第１回転軸４０１と第２回転軸４０２の相対位置が維持されるようになる。
【０１９９】
（異常動作）
一方、上述したように、不正者が、何らかの電気信号や機械的動作を与えて、排出駆動手段１０８を強引に動作させることもありえる。また、排出駆動手段１０８そのものが、誤動作や過剰動作してしまい（故障や他の要因による）、排出駆動手段１が、所定回転数以上、所定回転以外、所定回転力以上および所定回転時間以上の少なくとも一つの場合を生じさせることがある。このような状態では、第３伝達部３０５および第４伝達部３０６の少なくとも一方に、異常な圧力が加わってしまう。
【０２００】
このような異常な圧力が加われば、（１）歯車やモータで構成される伝達手段３００の一部もしくは全部が故障してしまう、（２）伝達手段３００が故障すれば、運営者や管理者が、金券を収納している収納器具１を排出させて、金券を回収できないことが起こりうる、あるいは挿入できないことが起こりうる、（３）伝達手段３００の故障によって、逆に嵌合歯１１と伝達手段３００との嵌合が外れ、不正者が、出口１１０から収納器具１を強引に引き出してしまい、金券を盗難してしまうこともありえる。
【０２０１】
以上のように、排出駆動動手段１０８の異常動作、誤動作、不正動作は、上記（１）〜（３）のような様々な問題を引き起こし、金券の盗難や金券識別装置１００そのものの故障などのシビアな問題を生じさせる。
【０２０２】
図１０は、本発明の実施の形態２における異常状態での伝達手段の斜視図である。図８と同じ角度から見た図であるが、異常動作などによって、異常状態となった伝達手段３００の図面である。
【０２０３】
上記のような排出駆動手段１０８の異常動作、誤動作、不正動作などによって、第３伝達部３０５および第４伝達部３０６の少なくとも一方に強い回転数が生じてしまったりすると、少なくとも一方に強い圧力が付与される。この圧力によって、弾性体４１０の弾性力よりも、この圧力が強くなって、第１回転軸４０１と第２回転軸４０２同士を近づけようとする弾性が押し戻されるようになる。
【０２０４】
この第１回転軸４０１と第２回転軸４０２同士を近づけようとすると弾性が押し戻される状況になると、第１回転軸４０１と第２回転軸４０２との間が、離れるような力関係となってしまい、第１回転軸４０１および第２回転軸４０２同士の相対位置が変化する。
【０２０５】
ここで、第２回転軸４０２は、図１０から明らかな通り、受け口４２０においてその位置を変化可能である。受け口４２０は、第２回転軸４０２の一端は、この受け口４２０で受けられる。受け口４２０は、楕円形であったり長径と短径を有する形状であったりする。この結果、第２回転軸４０２の一端は、この受け口４２０内部でその位置を変えることができる。
【０２０６】
図１０では、第２回転軸４０２の一端は、受け口４２０において、外側（第１回転軸４０１より遠い側）に動いていることがわかる。図８では、逆に、第２回転軸４０２の一端は、受け口４２０において、内側（第１回転軸４０１に近い側）に位置している。図１０のような状態となると、当然に、第１回転軸４０１と第２回転軸４０２とが離れるようになる。つまり、伝達手段３００において動力伝達が（特に、第３伝達部３０５と第４伝達部３０６との間の動力伝達が）、遮断される。
【０２０７】
このように、第１回転軸４０１と第２回転軸４０２とが離れると、第３伝達部３０５と第４伝達部３０６との嵌合が消失するので、第３伝達部３０５や第４伝達部３０６（もちろん、第１伝達部３０１、第２伝達部３０２）が、所定以上の回転を生じさせることがなくなる（場合によっては回転しない）。この結果、これら伝達部の歯車の歯に損傷が生じることがなくなり、伝達手段３００の故障が防止される。もちろん、収納器具１が不用意に排出されたり、強引に引き出されたりすることもなくなり、金券の盗難も防止される。
【０２０８】
図１１は、本発明の実施の形態２における異常状態での伝達手段の側面図である。図１１は、図１０を側面から見た状態を示している。図１１からも明らかな通り、弾性体４２０の弾性力を超えて第２回転軸４０２が位置を変化させて、第３伝達部３０５と第４伝達部３０６との嵌合が外れている。こうして、伝達手段３００での動力伝達が遮断される。
【０２０９】
以上のように、実施の形態２における金券識別装置１００は、排出駆動手段１０８における不正動作や誤動作に基づく暴走回転などによる、伝達手段３００の故障や損傷、収納器具１の不正あるいは誤った排出が防止される。結果として、盗難や故障による損害が防止されるので、金券識別装置１００を導入する企業等にとって、好適である。
【０２１０】
（実施の形態３）
【０２１１】
（その他）
また、嵌合歯１１の動作を抑えるロック部材が設けられることも好適である。図１２、図１３は、本発明の実施の形態３における収納器具とロック部材との関係を示す斜視図である。
【０２１２】
図１２、図１３には、収納器具１の側面であって、嵌合歯１１が設けられる側面に、挿入部５３が備わっている。挿入部５３には、収納器具１の往復運動（排出の移動方向への移動）をロックするロック部材５１が挿入される。このロック部材５１は、収納器具１の外部に備わっており、例えば、制御部１２０の一部に設けられて、収納器具１の外部から収納器具１の移動をロックもしくは開放する役割を果たす。
【０２１３】
ロック部材５１は、金属、合金、樹脂などの硬質で耐久性と強度を有する棒状もしくは板状などの部材であり、挿入部５３にその少なくとも一部が挿入されたり、挿入部５３から取り出されたりする。ロック部材５１の少なくとも一部が、挿入部５３に挿入されると、ロック部材５１の剛性によって収納器具１の排出（もちろん挿入格納も）が阻止される。これは、排出駆動手段１０８の駆動力が付与される場合であっても同じである。
【０２１４】
図１２では、ロック部材５１が、挿入部５３に挿入されておらず、収納器具１は、ロック部材５１から開放されている。この結果、収納器具１は、ロック部材５１の影響を受けることなく、排出駆動手段１０８の駆動力によって、排出される。排出された後の収納器具１は、図２、図３のように、蓋５が開閉されて、第１開口部４が開放されて、内部に収納されている金券が取り出されるようになる。
【０２１５】
一方、図１３では、ロック部材５１が挿入部５３に挿入されており、収納器具１が移動できない状態である。ロック部材５１の一方は、金券識別装置１００に固定されており（例えば制御部１２０を形成する壁面や柱などの構造物に固定されている）、他方が図１３のように、挿入部５３に挿入されることで、収納器具１の移動が押しとどめられる。
【０２１６】
例えば、排出駆動手段１０８のモータが故障や誤動作によって暴走してしまう場合でも、ロック部材５１が挿入部５３に挿入されていることで、収納器具１の往復運動が阻止されて、排出も阻止される。
【０２１７】
ロック部材５１には、図１２、図１３に示されるように、挿入部５３に挿入される方向に圧力を付与させる弾性体５４を備えている。図１２、図１３で示される弾性体５４は、ロック部材５１の一部（特に、挿入部５３と逆側）にまきつけられたばねであり、このばねによって、ロック部材５１は通常状態においては、押し出される力を受ける。この押し出される力は、ロック部材５１を挿入部５３に挿入させる方向に向かわせる。
【０２１８】
ここで、弾性体５４によるロック部材５１の前後の移動（挿入部５３に入る移動と、挿入部５３から出る移動）は、弾性体５４が、ロック部材５１の側面に突出しているピン５７を押したり引いたりすることで、実現される。図１２、図１３に示されるように、ロック部材５１のある部分に、横に突出するように、ピン５７が設けられている。このピン５７に対して弾性体５４が引っ掛かるようになっている。この引っ掛かりによって、弾性体５４は、ピン５７を押したり引いたりできる。
【０２１９】
弾性体５４がピン５７を押し出すときには、この動きに合わせてロック部材５１が挿入部５３に向かって移動して挿入される。すなわち、収納器具１は、ロックされて排出や挿入の動きができないロック状態となる。逆に、弾性体５４がピン５７を引くときには（押し戻すときには）、この動きに合わせてロック部材５１が挿入部５３から遠ざかるようになり、挿入部５３からロック部材５１が外れる。こうなると、収納器具１が排出や挿入の動きをできるようになり、ロックが解除される。
【０２２０】
また、弾性体５４の位置を変化させる回動部材５２が、更に備えられる。回動部材５２は、図１２、図１３に示されるように、収納器具１の外側に設けられる。回動部材５２は、所定の位置に突起を有している。この突起５５は、ピン５７の位置を移動させる。このピン５７の位置が移動することで、ロック部材５１の周囲に巻き付けられている弾性体５４の位置が挿入部５３より遠いほうへ変化する。この結果、ロック部材５１は、挿入部５３から抜け出るようになる。逆に、突起５５が、ピン５７の位置を別の方向に移動させるときには、ロック部材５１の周囲に巻きつけられている弾性体５４の位置は、挿入部５３に近いほうに移動する。この結果、ロック部材５１は、挿入部５３に入り込む。入り込めば、当然に、収納器具１は、ロック部材５１によってロックされて動けなくなる。
【０２２１】
突起５５は、回動部材５２の一部であるので、回動部材５２の回転によって、突起５５の位置が変化する。例えば、突起５５が第１位置に設定される場合と、第１位置と異なる第２位置に設定される場合とがある。例えば、回動部材５２は、収納器具１の排出指示や挿入指示のない「通常状態」である指示を受ける。この指示は、金券識別装置１００に対する機械的指示であったり、電気的指示であったりする。
【０２２２】
あるいは、回動部材５２は、同じような機械的指示や電気的指示によって、収納器具１の排出を命じられることもある。これは、「排出状態」である。例えば、運営者や管理者が所定の暗号を入力したり、所定のボタンを操作したりすることで、通常状態もしくは排出状態が設定される。
【０２２３】
このとき、通常状態では、回動部材５２は、突起５５を第１位置に設定する。図１３は、この第１位置に、突起５５が設定されている状態を示している。突起５５が第１位置に設定されると、ピン５７が挿入部５３側に押し出される。この結果、ロック部材５１も挿入部５３側に押し出される。押し出されれば、ロック部材５１の一部が挿入部５３に挿入されるので、収納器具１には、ロックが掛かった状態となる。このため、排出駆動手段１０８が駆動力を与えても、収納器具１は、排出されることがない。
【０２２４】
通常状態では、このように、ロック部材５１が挿入部５３に挿入されるように、回動部材５２が突起５５の位置を設定するので、収納器具１は、排出駆動手段１０８の誤動作、暴走、故障による不測の事態であっても、不正操作での排出駆動手段１の駆動が行われても収納器具１が排出されることがない。このため、収納器具１が事故で排出されたり不正に排出されたりして、収納器具１が収納する金券が紛失したり盗難されたりすることが防止される。
【０２２５】
一方、排出状態では、回動部材５２は、突起５５を第２位置に設定する。図１２は、排出状態であるので、回動部材５２は、突起５５を第２位置に設定している。第２位置に設定される場合には、図１２に示されるように、突起５５は、弾性体５４を、手前側（挿入部５３よりも遠い側）に引き戻す。この結果、弾性体５４の引き戻しに合わせて、ピン５７の戻りにあわせて、ロック部材５１も挿入部５３から遠ざかるようになり、挿入部５３からロック部材５１が外れる。ロック部材５１が挿入部５３から外れることで、排出状態で、収納器具１は、排出駆動手段１０８の駆動に従って、排出される。
【０２２６】
このように、排出状態では、ロック部材５１が設けられていても、排出を必要とする排出状態では、きちんと排出されて、運営者や管理者が、収納器具１に収納されている金券を回収することができる。
【０２２７】
なお、回動部材５２は、突起５５を第１位置と第２位置とに設定を切り替える。このとき、例えば光学センサーなどによって、突起５５の第１位置と第２位置との対応性を把握して、回動部材５２は、突起５５の位置を切り替える。
【０２２８】
また、回動部材５２は、突起５５を第１位置と第２位置との間を往復させることを目的としている。このとき、第１位置と第２位置とは、大きく離れていることは少ない。第１位置は、ピン５７と離れていればよく、第２位置は、ピン５７と接触していればよいからである。このため、回動部材５２は、一周分回転する必要は無く、第１位置と第２位置との間を往復運動する程度で十分である。
【０２２９】
この程度の往復運動で済むことで、通常状態と排出状態との切り替えが即座に行われるメリットがある上に、回動部材５２を回転させるための別途の駆動手段が不要となるメリットもある。
【０２３０】
また、実施の形態１〜３で説明された機能が全てあるいは複数組み合わされて、一つの金券識別装置１００に組み込まれることも好適である。より、盗難や故障への耐性が、高まるからである。
【０２３１】
なお、実施の形態１〜３で説明された金券識別装置は、本発明の趣旨を説明する一例であり、本発明の趣旨を逸脱しない範囲での変形や改造を含む。
【符号の説明】
【０２３２】
１    収納器具
２    保管部
３    押し当て部
４    第１開口部
５    蓋
６    端部部材
７    側壁
８    底
９    表面
１１    嵌合歯
５１    ロック部材
５２    回動部材
５３    挿入部
５４    弾性体
５５    突起
１００    金券識別装置
１０１    筐体
１０３    挿入口
１０４    識別部
１０５    搬送部
１０８    排出駆動手段
１０９    搬送駆動手段
１１０    出口
１２０    制御部
３００    伝達手段
３０１    第１伝達部
３０２    第２伝達部
３０５    第３伝達部
３０６    第４伝達部
４０１    第１回転軸  
４０２    第２回転軸
４１０    弾性体
【図１】
2014085848.tif 000003
【図２】
2014085848.tif 000004
【図３】
2014085848.tif 000005
【図４】
2014085848.tif 000006
【図５】
2014085848.tif 000007
【図６】
2014085848.tif 000008
【図７】
2014085848.tif 000009
【図８】
2014085848.tif 000010
【図９】
2014085848.tif 000011
【図１０】
2014085848.tif 000012
【図１１】
2014085848.tif 000013
【図１２】
2014085848.tif 000014
【図１３】
2014085848.tif 000015